(57)【要約】【課題】カバー部材の上方に自由なスペースが少ない場合であっても、カバー部材の回動角度をできるだけ大きくすることを目的とする。【解決手段】複合装置は、画像形成ユニットと、画像形成ユニットの上方に、画像形成ユニットに対して回動可能に設けられた読取ユニットとを備える。画像形成ユニットは、媒体が積載される第１のスタッカを有し、閉位置と開位置との間で第１の回動軸を中心として回動可能なカバー部材と、読取ユニットとカバー部材との間に配置され、媒体が積載され、カバー部材に第１の回動軸と異なる位置に配置された第２の回動軸を中心に回動可能に設けられた第２のスタッカとを備える。第２の回動軸は、カバー部材の回動動作に応じて、カバー部材が回動する方向に第１の回動軸を中心に移動する。カバー部材が開位置にあるときの第１のスタッカと第２のスタッカとの距離が、カバー部材が閉位置にあるときの第１のスタッカと第２のスタッカとの距離よりも小さい。【選択図】図１
2020095277.tif 000002
【特許請求の範囲】
【請求項１】
画像形成ユニットと、
前記画像形成ユニットの上方に、前記画像形成ユニットに対して回動可能に設けられた読取ユニットと、
を備え、
前記画像形成ユニットは、
媒体が積載される第１のスタッカを有し、閉位置と開位置との間で第１の回動軸を中心として回動可能なカバー部材と、
前記読取ユニットと前記カバー部材との間に配置され、媒体が積載され、前記カバー部材に前記第１の回動軸と異なる位置に配置された第２の回動軸を中心に回動可能に設けられた第２のスタッカと
を備え、
前記第２の回動軸は、前記カバー部材の回動動作に応じて、前記カバー部材が回動する方向に前記第１の回動軸を中心に移動し、
前記カバー部材が前記開位置にあるときの前記第１のスタッカと前記第２のスタッカとの距離が、前記カバー部材が前記閉位置にあるときの前記第１のスタッカと前記第２のスタッカとの距離よりも小さい
ことを特徴とする複合装置。
【請求項２】
前記読取ユニットは、前記画像形成ユニットに対して、閉位置である第１の位置と開位置である第２の位置との間で回動可能であり、
前記カバー部材の前記開位置は、前記第１の位置と前記第２の位置との間に規定される
ことを特徴とする請求項１に記載の複合装置。
【請求項３】
前記カバー部材が前記開位置にあるときの前記読取ユニットと前記第２のスタッカとの距離が、前記カバー部材が前記閉位置にあるときの前記読取ユニットと前記第２のスタッカとの距離よりも小さい
ことを特徴とする請求項１または２に記載の複合装置。
【請求項４】
前記第２のスタッカは、
前記カバー部材が前記閉位置にあるときに、前記第１のスタッカと前記第２のスタッカとを第１の位置関係に保持するための第１の保持部と、
前記カバー部材が前記開位置にあるときに、前記第２のスタッカが前記第１のスタッカに向けて移動することを規制すると共に、前記第１のスタッカと前記第２のスタッカとを、第２の位置関係に保持するための第２の保持部と
を有することを特徴とする請求項１から３までの何れか１項に記載の複合装置。
【請求項５】
前記第１のスタッカには、前記画像形成ユニットの第１のルートを通って排出された前記媒体が積載され、
前記第２のスタッカには、前記画像形成ユニットの前記第１のルートとは別の第２のルートを通って排出された前記媒体が積載される
ことを特徴とする請求項４に記載の複合装置。
【請求項６】
前記画像形成ユニットは、
前記媒体を前記第２のルートに沿って排出する第１のローラおよび第２のローラと、
前記第２のルートに沿って排出される前記媒体を、前記第１のローラ側で案内する案内面を有する第１の部材と、
前記第２のルートに沿って排出される前記媒体を、前記第２のローラ側で案内する案内面を有する第２の部材と
を備え、
前記カバー部材の前記第１の回動軸は、前記第１の部材側に配置されており、
前記第２のスタッカの前記第２の回動軸は、前記第２の部材側に配置されている
ことを特徴とする請求項５に記載の複合装置。
【請求項７】
前記第２の回動軸は、前記第１の回動軸と略平行であること
を特徴とする請求項１から６までの何れか１項に記載の複合装置。
【請求項８】
画像形成ユニットと、
媒体が積載される第１のスタッカを有し、閉位置と開位置との間で第１の回動軸を中心として回動可能なカバー部材と、
前記カバー部材の上方に配置され、媒体が積載され、前記カバー部材に前記第１の回動軸と異なる位置に配置された第２の回動軸を中心に回動可能に設けられた第２のスタッカと
を備え、
前記第２の回動軸は、前記カバー部材の回動動作に応じて、前記カバー部材が回動する方向に前記第１の回動軸を中心に移動し、
前記カバー部材が前記開位置にあるときの前記第１のスタッカと前記第２のスタッカとの距離が、前記カバー部材が前記閉位置にあるときの前記第１のスタッカと前記第２のスタッカとの距離よりも小さい
ことを特徴とする画像形成装置。
【請求項９】
前記第２のスタッカは、
前記カバー部材が前記閉位置にあるときに、前記第１のスタッカと前記第２のスタッカとを第１の位置関係に保持するための第１の保持部と、
前記カバー部材が前記開位置にあるときに、前記第２のスタッカが前記第１のスタッカに向けて移動することを規制すると共に、前記第１のスタッカと前記第２のスタッカとを、第２の位置関係に保持するための第２の保持部と
を有することを特徴とする請求項８に記載の画像形成装置。
【請求項１０】
前記第１のスタッカには、第１のルートを通って排出された前記媒体が積載され、
前記第２のスタッカには、前記第１のルートとは別の第２のルートを通って排出された前記媒体が積載される
ことを特徴とする請求項９に記載の画像形成装置。
【請求項１１】
前記第２の回動軸は、前記第１の回動軸と略平行であること
を特徴とする請求項８から１０までの何れか１項に記載の画像形成装置。  
【発明の詳細な説明】
【技術分野】
【０００１】
本発明は、原稿を読み取る読取ユニットと媒体に画像を形成する画像形成ユニットとを備えた複合装置、および、媒体に画像を形成する画像形成装置に関する。
【背景技術】
【０００２】
一般に、複合装置は、画像形成ユニットと読取ユニットとを備えている。読取ユニットは、画像形成ユニットの上方に配置され、上下に回動自在（開閉自在）に構成されている。また、画像形成ユニットの内部の構成要素（例えば定着ユニット）を着脱できるよう、画像形成ユニットの上部を覆うカバー部材も上下に回動自在に構成されている。
【０００３】
画像形成ユニットの構成要素を着脱する際には、ユーザは、読取ユニットを上方に大きく回動させ、その状態でカバー部材を上方に回動させる。また、読取ユニットの手前には、ユーザが把持する取っ手が設けられている。
【先行技術文献】
【特許文献】
【０００４】
【特許文献１】特開２０１２−５４８７１号公報（図１、図５および図６参照）
【発明の概要】
【発明が解決しようとする課題】
【０００５】
しかしながら、カバー部材の上方にトレイ等を備える装置において、カバー部材の上方に自由なスペースが少ない場合であっても、カバー部材の回動角度をできるだけ大きく確保することが求められている。
【０００６】
本発明は、上記の課題を解決するためになされたものであり、カバー部材の上方に自由なスペースが少ない場合であっても、カバー部材の回動角度をできるだけ大きくすることを目的とする。
【課題を解決するための手段】
【０００７】
本発明の複合装置は、画像形成ユニットと、画像形成ユニットの上方に、画像形成ユニットに対して回動可能に設けられた読取ユニットとを備える。画像形成ユニットは、媒体が積載される第１のスタッカを有し、閉位置と開位置との間で第１の回動軸を中心として回動可能なカバー部材と、読取ユニットとカバー部材との間に配置され、媒体が積載され、カバー部材に第１の回動軸と異なる位置に配置された第２の回動軸を中心に回動可能に設けられた第２のスタッカとを備える。第２の回動軸は、カバー部材の回動動作に応じて、カバー部材が回動する方向に第１の回動軸を中心に移動する。カバー部材が開位置にあるときの第１のスタッカと第２のスタッカとの距離が、カバー部材が閉位置にあるときの第１のスタッカと第２のスタッカとの距離よりも小さい。
【０００８】
本発明の画像形成装置は、画像形成ユニットと、媒体が積載される第１のスタッカを有し、閉位置と開位置との間で第１の回動軸を中心として回動可能なカバー部材と、カバー部材の上方に配置され、媒体が積載され、カバー部材に第１の回動軸と異なる位置に配置された第２の回動軸を中心に回動可能に設けられた第２のスタッカとを備える。第２の回動軸は、カバー部材の回動動作に応じて、カバー部材が回動する方向に第１の回動軸を中心に移動する。カバー部材が開位置にあるときの第１のスタッカと第２のスタッカとの距離が、カバー部材が閉位置にあるときの第１のスタッカと第２のスタッカとの距離よりも小さい。
【発明の効果】
【０００９】
本発明によれば、カバー部材が開位置にあるときに、第１のスタッカと第２のスタッカとの距離が短くなるため、読取ユニットの回動角度に対して、カバー部材の回動角度を大きく確保することができる。そのため、カバー部材の上方に自由なスペースが少ない場合であっても、カバー部材の回動角度をできるだけ大きくすることができる。
【図面の簡単な説明】
【００１０】
【図１】本発明の第１の実施の形態の複合装置の全体構成を示す側断面図である。
【図２】第１の実施の形態の複合装置の外観形状を示す斜視図である。
【図３】第１の実施の形態の複合装置のプロセスユニットの内部構成を示す模式図である。
【図４】第１の実施の形態の複合装置の読取ユニットの内部構成を示す模式図である。
【図５】第１の実施の形態の複合装置のスタッカカバーおよびトレイの取り付け構造を示す分解斜視図である。
【図６】第１の実施の形態の複合装置のスタッカカバーおよびトレイの取り付け構造を示す分解斜視図である。
【図７】第１の実施の形態の複合装置のステイに設けられた凸部の形状の一例を示す斜視図である。
【図８】第１の実施の形態の複合装置のストッパと受け部との関係を示す模式図である。
【図９】第１の実施の形態の複合装置の読取ユニット、スタッカカバーおよびトレイの回動動作を説明するための図である。
【図１０】第１の実施の形態の複合装置の読取ユニット、スタッカカバーおよびトレイの回動動作を説明するための図である。
【図１１】第１の実施の形態の複合装置の読取ユニット、スタッカカバーおよびトレイの回動動作を説明するための図である。
【発明を実施するための形態】
【００１１】
＜複合装置の全体構成＞
図１は、本発明の第１の実施の形態における複合装置の構成を示す側断面図である。図２は、複合装置の外観形状を示す斜視図である。複合装置は、画像形成ユニット１と、画像形成ユニット１の上方に設けられた読取ユニット２と、これらを支持するステイ（フレーム）３とを備えている。なお、図１に示した複合装置のうち、読取ユニット２およびステイ３を含む部分は、画像形成装置を構成している。
【００１２】
画像形成ユニット１は、画像を形成するための各構成要素を収容したハウジング１ａと、このハウジング１ａの上方を覆うスタッカカバー（カバー部材）５と、スタッカカバー５の上方に設けられたトレイ６とを有している。スタッカカバー５およびトレイ６は、それぞれの上面に、画像形成後の媒体を積載できるように構成されている。
【００１３】
読取ユニット２は、水平方向を軸方向とする回動軸（支軸）２１を有している。読取ユニット２を支持するステイ３には、読取ユニット２の回動軸２１を支持する孔３１が設けられている。回動軸２１と孔３１との係合により、読取ユニット２は回動軸２１を中心として回動可能となる。回動軸２１と孔３１とは、読取ユニット２の回動支持部を構成している。
【００１４】
すなわち、ステイ３は、画像形成ユニット１と読取ユニット２とを一体的に保持すると共に、読取ユニット２を画像形成ユニット１に対して回動可能に支持するよう構成されている。読取ユニット２は、図１に示す閉位置と、図２に示す開位置との間で回動する。
【００１５】
ここでは、回動軸２１の方向をＸ方向（左右方向）とし、水平面内でＸ方向に直交する方向をＹ方向（前後方向）とする。Ｙ方向において、回動軸２１が形成された側を後方（図１における＋Ｙ方向）とし、その反対側を前方（−Ｙ方向）とする。また、ＸＹ面に直交する方向（鉛直方向）を、Ｚ方向とする。
【００１６】
読取ユニット２の回動軸２１は、読取ユニット２の後端部（＋Ｙ方向の一端部）に配置されている。読取ユニット２の前端部（−Ｙ方向の端部）には、ユーザが複合装置に対する操作入力を行う操作パネル２５と、読取ユニット２を回動させる際に把持する取っ手２６とが設けられている。
【００１７】
ステイ３は、図２に示すように、Ｘ方向に互いに対向する一対の側壁３５を備えている。これら一対の側壁３５の間に画像形成ユニット１が配設されており、当該一対の側壁３５の上側に読取ユニット２が配設されている。各側壁３５は、例えば板金で構成されている。また、各側壁３５上には、読取ユニット２を開位置で保持するための保持機構２８が設けられている。なお、保持機構２８は、ユーザが読取ユニット２を開位置まで回動させた状態で、読取ユニット２を保持することができるものであればよい。
【００１８】
＜画像形成ユニットの基本構成＞
次に、画像形成ユニット１の基本構成について説明する。画像形成ユニット１は、例えば印刷用紙等の媒体（図１では符号Ｐで示す）を積載状態で収納する媒体カセット１１と、媒体カセット１１の媒体を繰り出すピックアップローラ１２と、繰り出された媒体を一枚ずつ搬送路に給紙するフィードローラ１３および分離ローラ１４と、給紙された媒体のスキューを矯正し、搬送路に沿って搬送するレジストローラ１５およびプレッシャローラ１６とを備えている。
【００１９】
なお、ピックアップローラ１２、フィードローラ１３、分離ローラ１４、レジストローラ１５およびプレッシャローラ１６は、画像形成ユニット１の前端部（＋Ｙ方向の一端部）の近傍に配置されている。レジストローラ１５およびプレッシャローラ１６によって搬送される媒体は、画像形成ユニット１の後方に向けてＹ方向に搬送される。媒体の搬送路の幅方向は、Ｘ方向である。
【００２０】
画像形成ユニット１は、また、Ｙ方向（前後方向）に配列された４つのプロセスユニット（画像形成部）７ａ，７ｂ，７ｃ，７ｄを有している。プロセスユニット７ａ，７ｂ，７ｃ，７ｄは、例えば、電子写真法を用いて、ブラック、イエロー、マゼンタおよびシアンのトナー像（現像剤像）を形成する。プロセスユニット７ａ，７ｂ，７ｃ，７ｄは、画像形成ユニット１のハウジング１ａに対して着脱可能である。
【００２１】
プロセスユニット７ａ，７ｂ，７ｃ，７ｄの上側には、露光ヘッド８ａ，８ｂ，８ｃ，８ｄが配置されている。露光ヘッド８ａ，８ｂ，８ｃ，８ｄは、各色のイメージデータに基づいてプロセスユニット７ａ，７ｂ，７ｃ，７ｄの各感光体ドラム７１（後述）に光を照射し、各感光体ドラム７１の表面に静電潜像を形成する。露光ヘッド８ａ，８ｂ，８ｃ，８ｄは、スタッカカバー５のヘッド保持部５８によって保持されている。
【００２２】
図３は、プロセスユニット７ａの内部構成を説明するための模式図である。図３には、プロセスユニット７ａの各構成要素に加えて、露光ヘッド８ａ並びに後述する搬送ベルト９１および転写ローラ９２ａも示されている。
【００２３】
図３に示すように、プロセスユニット７ａは、現像剤担持体としての感光体ドラム７１と、帯電部材としての帯電ローラ７２と、現像ユニット７３と、現像剤収容部としての現像剤カートリッジ７４と、クリーニング部材７５とを備える。
【００２４】
感光体ドラム７１は、表面に感光層を有し、軸線方向をＸ方向とする円筒状部材である。感光体ドラム７１は、Ｘ方向の回動軸を中心として、図３における時計回り方向に回転する。帯電ローラ７２は、感光体ドラム７１の表面（外周面）を一様に帯電させる。現像ユニット７３は、露光ヘッド８ａによって感光体ドラム７１の表面に形成された静電潜像を現像してトナー像とする。現像剤カートリッジ７４は、現像ユニット７３に現像剤を補給する。クリーニング部材７５は、トナー像の転写後に感光体ドラム７１の表面に残った残留トナーを除去する。
【００２５】
プロセスユニット７ｂ，７ｃ，７ｄは、使用するトナーを除き、プロセスユニット７ａと同様の構成を有している。
【００２６】
図１に戻り、プロセスユニット７ａ，７ｂ，７ｃ，７ｄの下側には、転写ユニット９が配置されている。転写ユニット９は、搬送ベルト９１と、搬送ベルト９１が架け渡されたベルト駆動ローラ９３および従動ローラ９４とを備えている。転写ユニット９は、また、搬送ベルト９１を挟んでプロセスユニット７ｂ，７ｃ，７ｄの各感光体ドラム７１に対向配置された転写部材としての転写ローラ９２ａ，９２ｂ，９２ｃ，９２ｄを備えている。
【００２７】
転写ユニット９は、媒体を搬送ベルト９１で吸着により保持し、プロセスユニット７ａ，７ｂ，７ｃ，７ｄに沿って搬送する。また、プロセスユニット７ａ，７ｂ，７ｃ，７ｄの各感光体ドラム７１の表面に形成されたトナー像を、転写ローラ９２ａ，９２ｂ，９２ｃ，９２ｄに付与した転写電圧により媒体に転写する。
【００２８】
媒体の搬送方向に沿ってプロセスユニット７ａ，７ｂ，７ｃ，７ｄの下流側には、定着ユニット１０が配置されている。定着ユニット１０は、例えば、加熱ローラ１０１、加圧ローラ１０２および定着ベルト１０３等を備え、トナー像が転写された媒体を加熱および加圧し、トナー像を媒体に定着する。
【００２９】
媒体の搬送方向に沿って定着ユニット１０の下流側には、排出搬送路４０が設けられている。排出搬送路４０は、第１搬送路（第１のルート）４１と第２搬送路（第２のルート）４２とに分岐しており、分岐部分にはセパレータ（切換部）４５が配置されている。第１搬送路４１の終端には排出口４７が設けられており、第２搬送路４２の終端には排出口４８が設けられている。
【００３０】
第１搬送路４１の排出口４７には、媒体を排出口４７から排出する第１排出ローラ１７と第１従動ローラ１８とからなるローラ対が配置されている。排出口４７から排出された媒体は、スタッカカバー５の上面に積載される。
【００３１】
第２搬送路４２の排出口４８には、媒体を排出口４８から排出する第２排出ローラ１９（第１のローラ）と第２従動ローラ２０（第２のローラ）とからなるローラ対が配置されている。排出口４８から排出された媒体は、トレイ６の上面に積載される。
【００３２】
排出搬送路４０のうち、第１搬送路４１の全体および第２搬送路４２の途中までの部分は、画像形成ユニット１のハウジング１ａに取り付けられた第１エジェクタユニット４３に形成されている。一方、第２搬送路４２の途中から排出口４８までの部分は、スタッカカバー５に取り付けられた第２エジェクタユニット４４に形成されている。これら第１エジェクタユニット４３および第２エジェクタユニット４４は、画像形成ユニット１の後端部（＋Ｙ方向の端部）に配設されている。
【００３３】
第２エジェクタユニット４４内の第２搬送路４２は、互いに対向する搬送面（第１案内面）４２ａと搬送面（第２案内面）４２ｂとを有している。第２エジェクタユニット４４は、搬送面４２ａ側に位置する第１部分４４ａ（第１の部材）と、搬送面４２ｂ側に位置する第２部分４４ｂ（第２の部材）とに分けられる。上述した第２排出ローラ１９は、第１部分４４ａに設けられており、上述した第２従動ローラ２０は、第２部分４４ｂに設けられている。
【００３４】
スタッカカバー５が閉位置（図１）にあるときには、第１エジェクタユニット４３と第２エジェクタユニット４４とが上下に重なり合い、連続した第２搬送路４２が形成される。一方、スタッカカバー５が開位置（後述する図１１）にあるときには、第２エジェクタユニット４４がスタッカカバー５と共に回動し、第１エジェクタユニット４３から離間するため、第２搬送路４２が途中から分離した状態となる。
【００３５】
＜読取ユニットの基本構成＞
次に、読取ユニット２の内部構成について説明する。図４は、読取ユニット２の内部構成を説明するための模式図である。読取ユニット２は、読み取り対象の原稿Ｄを載置する原稿載置台８１と、画像の読み取り時に原稿Ｄを押える原稿押え部８２と、原稿Ｄを搬送する原稿搬送部８３とを備える。
【００３６】
原稿載置台８１の上面には、ガラス等の透明の板状部材で構成された原稿載置部８４が設けられている。原稿載置部８４の下方には、ラインセンサである原稿読取部８５が配置されている。原稿読取部８５は、原稿載置部８４と平行（ここではＸ方向）に移動可能である。原稿読取部８５は、原稿載置部８４を通して原稿Ｄに光を照射しながら移動し、受光素子によって反射光を受光することによって、原稿Ｄの画像を読み取る。
【００３７】
原稿搬送部８３は、原稿Ｄを載置する原稿トレイ８６と、原稿Ｄを搬送する原稿搬送ローラ８７と、搬送される原稿Ｄを案内する原稿ガイド８８と、読取後の原稿Ｄを排出する原稿排出ローラ８９とを備える。原稿トレイ８６に原稿Ｄをセットし、原稿Ｄの読み取りを開始すると、原稿搬送ローラ８７が回転し、原稿Ｄを原稿ガイド８８に沿って読取位置Ｒに向けて搬送する。原稿読取部８５は、読取位置Ｒに停止した状態で、原稿搬送部８３によって搬送される原稿Ｄの画像を読み取る。読み取り後の原稿Ｄは、原稿排出ローラ８９により、原稿押え部８２の上面に排出される。読取ユニット２は、読み取った画像に基づく画像情報を画像形成ユニット１に出力する。
【００３８】
＜スタッカカバーの構成＞
次に、画像形成ユニット１のスタッカカバー５の構成について説明する。図５および図６は、スタッカカバー５およびトレイ６の取り付け構造を示す分解斜視図である。なお、図５および図６は、互いに異なる方向から見た斜視図である。
【００３９】
図５および図６に示すように、スタッカカバー５は、上面部である積載面部５ａと、前面部５ｂと、背面部５ｃ（図１）と、一対の側面部５ｄとを有している。スタッカカバー５の積載面部５ａは、第１搬送路４１の排出口４７から排出された媒体を積載する部分（第１のスタッカ）である。
【００４０】
スタッカカバー５の積載面部５ａの後方側は、斜め下方に（すなわち後方に向かうほど高さが低くなるように）延在し、湾曲面５２を構成している。この湾曲面５２は、上述した第１搬送路４１の排出口４７に対向しており、排出口４７側に凸となる湾曲形状を有している。
【００４１】
スタッカカバー５の積載面部５ａの前方側は、斜め下方に（すなわち前方に向かうほど高さが低くなるように）延在し、湾曲面５３を構成している。この湾曲面５３は、後述するようにスタッカカバー５を開位置から閉位置に回動させる際に、ユーザが手を掛ける部分である。
【００４２】
スタッカカバー５の一対の側面部５ｄには、Ｘ方向外側に延在する回動軸（支軸）５１がそれぞれ設けられている。この回動軸５１は、スタッカカバー５の後端部（−Ｙ方向の端部）に位置している。ステイ３の側壁３５には、回動軸５１に係合する孔３２が設けられている。回動軸５１と孔３２との係合により、スタッカカバー５が、Ｘ方向の回動軸５１を中心として回動可能となる。すなわち、回動軸５１と孔３２とは、スタッカカバー５の回動支持部を構成している。
【００４３】
スタッカカバー５の一対の側面部５ｄのそれぞれの上面は、当接面（第２の係合部）５６を構成している。この当接面５６は、トレイ６のリミッタ６５に当接する面である。
【００４４】
スタッカカバー５は、回動軸５１を中心として、図１に示す閉位置と、閉位置から所定角度だけ上方に回動した開位置（後述する図１１）との間で回動可能である。
【００４５】
図６に示すように、スタッカカバー５の一方の側面部５ｄには、スタッカカバー５が開位置にあるときに、ステイ３の側壁３５に設けられた凸部３３（図５）に係合する凹部５４が形成されている。スタッカカバー５の凹部５４とステイ３の凸部３３との係合により、スタッカカバー５が開位置で係止（ロック）される。すなわち、凹部５４と凸部３３とは、スタッカカバー５のロック機構を構成している。
【００４６】
なお、ここでは、スタッカカバー５の一方の側面部５ｄのみに凹部５４を設けたが、両方の側面部５ｄに凹部５４を設けてもよい。また、凸部と凹部の関係は、逆であってもよい。
【００４７】
図７に、ステイ３の凸部３３の形状の一例を示す。ここでは、ステイ３の凸部３３は、Ｘ方向両側に傾斜面３３ａを有している。スタッカカバー５が開位置に到達すると、スタッカカバー５の凹部５４の縁が凸部３３の傾斜面３３ａに沿って摺動して、凹部５４と凸部３３とが係合する。また、スタッカカバー５が開位置から閉位置に向けて回動する際には、スタッカカバー５の凹部５４の縁が凸部３３の傾斜面３３ａに沿って摺動して、凹部５４と凸部３３との係合が外れる。
【００４８】
図５に戻り、スタッカカバー５の一対の側面部５ｄの間には、上述した第２エジェクタユニット４４が取り付けられている。第２エジェクタユニット４４は、略箱型のユニット本体４４ｃ内に第２搬送路４２を設けたものである。また、第２搬送路４２の終端の排出口４８には、第２排出ローラ１９および第２従動ローラ２０が配置されている。
【００４９】
第２エジェクタユニット４４は、上述したように第１部分４４ａと第２部分４４ｂとに分けられる。第１部分４４ａは、第２搬送路４２に対して第２排出ローラ１９側にあり、第２搬送路４２を形成する搬送面４２ａを有する。第２部分４４ｂは、第２搬送路４２に対して第２従動ローラ２０側にあり、第２搬送路４２を形成する搬送面４２ｂを有する。スタッカカバー５の回動軸５１は、第２エジェクタユニット４４の第１部分４４ａに対応する位置に配置されている。言い換えると、スタッカカバー５の回動軸５１の延長線が、第２エジェクタユニット４４の第１部分４４ａを通る。
【００５０】
＜トレイの構成＞
図５および図６に示すように、スタッカカバー５の上方には、トレイ６が取り付けられている。トレイ６は、第２搬送路４２の排出口４８から排出された媒体を積載する第２のスタッカであり、ビントレイと称する場合もある。トレイ６は、Ｘ方向を幅方向とする略板状の部材であり、その幅方向の両端からＸ方向に延在する一対の回動軸（支軸）６１を有している。
【００５１】
トレイ６は、回動軸６１が設けられた部分を基端部とし、この基端部から湾曲して延在する湾曲部６２と、湾曲部６２の先端から平面的に延在する平坦部６３とを有している。平坦部６３の先端には、Ｕ字状の切り欠き６７が形成されている。
【００５２】
トレイ６のＵ字状の切り欠き６７は、ユーザがトレイ６より下のスタッカカバー５に積載された媒体を取り出しやすくし、また、スタッカカバー５を開位置から閉位置に向けて回動させる際にスタッカカバー５の積載面部５ａの前側部分（湾曲面５３）を手で押しやすくするためのものである。
【００５３】
トレイ６を回動可能に支持するため、スタッカカバー５は、トレイ６の回動軸６１に係合する孔５５を有している。より具体的には、孔５５は、スタッカカバー５に取り付けられた第２エジェクタユニット４４のユニット本体４４ｃの両側壁に形成されている。トレイ６の回動軸６１とスタッカカバー５の孔５５との係合により、トレイ６が回動軸６１を中心として回動可能となる。すなわち、回動軸６１と孔５５とは、トレイ６の回動支持部を構成している。
【００５４】
上述したスタッカカバー５の回動軸５１が、第２エジェクタユニット４４の第１部分４４ａ（第２排出ローラ１９側）に対応する位置に配置されていたのに対し、トレイ６の回動軸６１は、第２エジェクタユニット４４の第２部分４４ｂ（第２従動ローラ２０側）に対応する位置に配置されている。
【００５５】
トレイ６の下面には、スタッカカバー５に向けて突出する一対のリミッタ６５（第２の保持部）が設けられている。一対のリミッタ６５は、トレイ６のＸ方向の両端の近傍に配置されている。
【００５６】
トレイ６のリミッタ６５は、閉位置から開位置に向けて回動されるスタッカカバー５に当接する部分である。より具体的には、トレイ６のリミッタ６５は、スタッカカバー５の積載面部５ａ（媒体が積載される部分）よりもＸ方向外側の当接面５６に当接する。
【００５７】
トレイ６のＸ方向の両端には、さらにＸ方向外側に突出する一対のストッパ６６（第１の保持部）が設けられている。ストッパ６６は、例えば、Ｘ方向に長い板状片である。
【００５８】
ステイ３の一対の側壁３５には、トレイ６のストッパ６６を受ける受け部３４（第１の係合部）が形成されている。ステイ３の受け部３４は、底面３４ａと、底面３４ａの後方（＋Ｙ方向）に位置する傾斜面３４ｂと、底面３４ａの前方（−Ｙ方向）に位置する鉛直面３４ｃとを有している。受け部３４の傾斜面３４ｂは、トレイ６が開位置に向けて回動する際に、ストッパ６６が受け部３４から上方に抜けやすくするためのものである。
【００５９】
図８は、ストッパ６６と受け部３４との関係を示す模式図である。受け部３４の底面３４ａには、例えば矩形状の突起である凸部３４ｄが形成されている。また、ストッパ６６の下面には、受け部３４の凸部３４ｄに係合する凹部６８が形成されている。
【００６０】
受け部３４の底面３４ａのＹ方向の長さＣ１は、ストッパ６６のＹ方向の長さ（幅）Ｃ２よりも長い。すなわち、受け部３４は、ストッパ６６が受け部３４内においてＹ方向（前後方向）にスライドできるように構成されている。また、凹部６８のＹ方向の長さＣ４は、凸部３４ｄのＹ方向の長さＣ３よりも長い。長さＣ１と長さＣ２との差（Ｃ１−Ｃ２）、および長さＣ４と長さＣ３との差（Ｃ４−Ｃ３）は、いずれも、ストッパ６６が受け部３４に対してＹ方向にスライドするスライド量よりも大きい。
【００６１】
ストッパ６６の凹部６８のＸ方向の長さＬ２は、受け部３４の凸部３４ｄのＸ方向の長さＬ１よりも僅かに長い程度に設定されている。これは、ストッパ６６の受け部３４に対するＸ方向の変位を少なく抑えることにより、ストッパ６６が受け部３４から外れることを防止するためである。すなわち、凸部３４ｄと凹部６８とは、脱落防止部を構成している。
【００６２】
図５および図６に戻り、トレイ６の回動軸６１は、スタッカカバー５の回動軸５１と積載面部５ａとの間に配置されている。また、第２搬送路４２の排出口４８からの媒体の排出方向において、トレイ６のリミッタ６５はトレイ６の回動軸６１の下流側に配置され、トレイ６のストッパ６６はリミッタ６５のさらに下流側に配置されている。
【００６３】
また、トレイ６には、トレイ６上に積載された媒体の有無を検知するためのセンサレバー６９が設けられているが、これについては説明を省略する。
【００６４】
＜複合装置の動作＞
次に、図１、図３および図４を参照して、複合装置の動作について説明する。ここでは、読取ユニット２における読取動作と、画像形成ユニット１における画像形成動作とを連続して行うコピー動作について説明する。
【００６５】
＜読取動作＞
ユーザが、図４に示した読取ユニット２の原稿押え部８２を開いて原稿載置部８４上に原稿を置き、操作パネル２５（図１）の所定のスイッチ（例えばコピーボタン）を押すと、読取ユニット２が原稿の読取動作を開始する。すなわち、原稿読取部８５が原稿面に沿ってＸ方向に移動しながら、原稿に向けて光を発し、反射光を受光する。原稿読取部８５は、Ｙ方向（主走査方向）のラインイメージを読み取りながら、Ｘ方向（副操作方向）に移動することにより、原稿の２次元画像を取得する。
【００６６】
原稿読取部８５が移動範囲の終端に達すると、原稿読取部８５の移動および読取が停止し、その後、原稿読取部８５は移動前の位置（ホームポジション）に復帰する。これにより、読取ユニット２による原稿の読取動作が完了する。
【００６７】
なお、ここではユーザが原稿載置部８４上に原稿を置いて読取を行う場合について説明したが、原稿搬送部８３によって原稿を自動搬送し、原稿読取部８５が定位置（読取位置Ｒ）で読取を行うことも可能である。
【００６８】
＜画像形成動作＞
次に、図１に示した画像形成ユニット１が画像形成動作を行う。まず、ピックアップローラ１２が回転して、媒体カセット１１に収納された媒体を繰り出し、フィードローラ１３および分離ローラ１４によって媒体を一枚ずつ搬送路に送り出す。さらに、レジストローラ１５およびプレッシャローラ１６によって、媒体の斜行を矯正しながら、プロセスユニット７ａ，７ｂ，７ｃ，７ｄに向けて搬送する。
【００６９】
さらに、転写ユニット９のベルト駆動ローラ９３が回転して搬送ベルト９１が走行し、媒体を吸着保持して搬送する。媒体は、プロセスユニット７ａ，７ｂ，７ｃ，７ｄの順に通過する。
【００７０】
図４に示すように、プロセスユニット７ａでは、感光体ドラム７１が所定のタイミングで回転を開始し、帯電ローラ７２は、感光体ドラム７１の表面を一様に帯電させる。露光ヘッド８ａは、上記の読取ユニット２で読み取られた原稿の画像情報に基づく所定の色（例えばブラック）の画像データに応じて、感光体ドラム７１の表面を露光し、静電潜像を形成する。
【００７１】
感光体ドラム７１の表面に形成された静電潜像は、現像ユニット７３によってトナーで現像され、トナー像（現像剤像）となる。感光体ドラム７１の表面に形成されたブラックのトナー像は、転写ローラ９２ａに印加された転写電圧により、搬送ベルト９１上の媒体に転写される。
【００７２】
同様に、図１に示すプロセスユニット７ｂ，７ｃ，７ｄにおいて、イエロー、マゼンタおよびシアンのトナー像が、搬送ベルト９１上の媒体に転写される。このように各色のトナー像が転写された媒体は、搬送ベルト９１によって、定着ユニット１０に搬送される。
【００７３】
定着ユニット１０では、加熱ローラ１０１、加圧ローラ１０２および定着ベルト１０３によって媒体に熱および圧力が加えられる。これにより、媒体の表面に転写されたトナー像が、媒体に定着される。
【００７４】
トナー像が定着した媒体は、排出搬送路４０に沿って搬送され、セレクタ４５によって第１搬送路４１または第２搬送路４２に導かれる。ここでは、ユーザによる操作パネル２５の設定に基づき、複合装置の制御部がセレクタ４５を駆動して、第１搬送路４１または第２搬送路４２の一方を選択するものとする。
【００７５】
第１搬送路４１に導かれた媒体は、第１排出ローラ１７と第１従動ローラ１８によって排出口４７から排出され、スタッカカバー５上に排出される。第２搬送路４２に導かれた媒体は、第２排出ローラ１９と第２従動ローラ２０によって排出口４８から排出され、トレイ６上に排出される。これにより、画像形成動作が完了する。
【００７６】
なお、ここでは、読取動作と画像形成動作が連続して行われるコピー動作について説明したが、例えばパーソナルコンピュータから送信された画像を形成する動作（プリント動作）等であってもよい。
【００７７】
＜読取ユニットおよびスタッカカバーの回動動作＞
プロセスユニット７ａ，７ｂ，７ｃ，７ｄもしくは定着ユニット１０を交換し、またジャム（紙詰まり）を生じた媒体を取り除く際には、ユーザは、読取ユニット２およびスタッカカバー５を閉位置から開位置まで回動させる必要がある。
【００７８】
以下では、読取ユニット２、スタッカカバー５およびトレイ６の回動動作について、図１および図９〜１１を参照して説明する。図９〜１１は、読取ユニット２、スタッカカバー５およびトレイ６の回動動作を説明するための図である。
【００７９】
図１に示した状態では、読取ユニット２、スタッカカバー５およびトレイ６は、いずれも閉位置にある。上記の通り、トレイ６のストッパ６６は、ステイ３の受け部３４の底面３４ａ（図８）に当接して保持されている。トレイ６の平坦部６３は水平であり、スタッカカバー５の積載面部５ａも略水平である。この状態で、スタッカカバー５とトレイ６との距離をＶ１とし、トレイ６と読取ユニット２との距離をＶ２とする。
【００８０】
読取ユニット２を閉位置から開位置に向けて回動させる際には、ユーザは、読取ユニット２の取っ手２６を把持して読取ユニット２を上方へ持ち上げる。これにより、読取ユニット２は、回動軸２１を中心として図１における反時計回り方向に回動を開始する。
【００８１】
読取ユニット２は、図９に示すように、閉位置から所定の角度（回動角度Ａ）だけ回動した位置まで回動すると、保持機構２８に内蔵されたリミッタに当接して回動が停止する。そして、読取ユニット２は、保持機構２８によって開位置で保持される。回動角度Ａは、例えば５６度である。
【００８２】
読取ユニット２が開位置で保持された状態で、ユーザは、スタッカカバー５を閉位置から開位置に向けて回動させる。このとき、ユーザは、スタッカカバー５に設けられた取っ手５７（図２）を把持してスタッカカバー５を上方へ持ち上げる。これにより、スタッカカバー５は回動軸５１を中心として図９における反時計回り方向に回動を開始する。
【００８３】
スタッカカバー５が閉位置から回動を開始した時点では、トレイ６は、ストッパ６６（図５）がステイ３の受け部３４の底面３４ａと当接した状態で保持されている。また、トレイ６のリミッタ６５は、スタッカカバー５の上面から離れている。すなわち、この時点ではトレイ６は回動していない。そのため、スタッカカバー５の回動に伴って、スタッカカバー５とトレイ６との相対位置が（トレイ６の回動軸６１を中心として）変化する。
【００８４】
スタッカカバー５がトレイ６のリミッタ６５に当接する前の状態では、トレイ６のストッパ６６がステイ３の受け部３４の底面３４ａと当接している。但し、トレイ６の回動軸６１はスタッカカバー５に設けられており、スタッカカバー５の回動軸５１を中心として回動（公転）する。そのため、トレイ６のストッパ６６は、ステイ３の受け部３４の底面３４ａ上をＹ方向にスライドする。受け部３４が、トレイ６のストッパ６６をＹ方向のスライドを許容しながら保持するように、上述したＣ１−Ｃ２およびＣ４−Ｃ３がストッパ６６のスライド量より大きくなるよう構成されているため、トレイ６の安定した動作が実現される。同様に、トレイ６のリミッタ６５も、スタッカカバー５の当接面５６に沿ってスライドする。
【００８５】
スタッカカバー５がさらに開位置に向けて回動すると、スタッカカバー５の当接面５６がトレイ６のリミッタ６５に当接する。これ以降は、図１０に示すように、トレイ６はスタッカカバー５と共に、スタッカカバー５の回動軸５１を中心として回動する。また、トレイ６のストッパ６６は、ステイ３の受け部３４の底面３４ａから上方に離れる。
【００８６】
スタッカカバー５およびトレイ６が、図１１に示す位置まで回動すると、スタッカカバー５の凹部５４（図６）がステイ３の凸部３３（図５）に係合する。この位置が、スタッカカバー５の開位置である。また、トレイ６は、リミッタ６５とスタッカカバー５の当接面５６との当接により、図１１に示す位置（開位置）で保持される。
【００８７】
スタッカカバー５の閉位置から開位置までの回動角度Ｂは、例えば６０度であり、図９で説明した読取ユニット２の回動角度Ａ（例えば５６度）よりも大きい。
【００８８】
言い換えると、図１１に示す開位置でのスタッカカバー５とトレイ６との距離Ｗ１は、図１に示した閉位置でのスタッカカバー５とトレイ６との距離Ｖ１よりも小さい。また、図１１に示す開位置でのトレイ６と読取ユニット２の距離Ｗ２は、図１に示した閉位置でのトレイ６と読取ユニットとの距離Ｖ２よりも小さい。
【００８９】
このようにスタッカカバー５の回動角度Ｂが大きいため、ユーザは、プロセスユニット７ａ，７ｂ，７ｃ，７ｄもしくは定着ユニット１０の交換作業、またはジャムを生じた媒体を取り除く作業を容易に行うことができる。また、読取ユニット２の回動角度Ａは比較的小さいため、読取ユニット２が開位置にある状態でも、ユーザが取っ手２６に手を掛けやすい。  
【００９０】
なお、図１１において、スタッカカバー５とトレイ６との距離Ｗ１は、例えば１５ｍｍ程度に設定されている。このように設定したのは、スタッカカバー５を閉位置に向けて回動させる際に、ユーザがスタッカカバー５の積載面部５ａの前側部分（湾曲面５３）に手を掛けやすくするためである。また、スタッカカバー５とトレイ６との間にクリアランス（距離Ｗ１）を設けることにより、スタッカカバー５上に媒体を積載したままの状態でも、スタッカカバー５の回動が可能となる。また、距離Ｗ１を距離Ｗ２よりも大きくすることにより、ユーザがスタッカカバー５を閉じる際に、スタッカカバー５の積載面部５ａの前側部分（湾曲面５３）に手を掛けるように促す効果も得られる。
【００９１】
また、トレイ６と読取ユニット２の底部との距離Ｗ２は、例えば２ｍｍ程度に設定されている。このように設定したのは、スタッカカバー５を閉位置に向けて回動させる際に、ユーザが誤ってトレイ６の上面に手を掛けないようにするためである。
【００９２】
スタッカカバー５を開位置から閉位置に向けて回動させる際には、ユーザがスタッカカバー５の積載面部５ａの前側部分（湾曲面５３）に手を掛けて下方に押し下げる。これにより、スタッカカバー５の凹部５４（図６）がステイ３の凸部３３（図５）から外れ、スタッカカバー５が図１１における時計回り方向に回動を開始する。
【００９３】
スタッカカバー５が閉位置（図９）に到達する前に、トレイ６のストッパ６６がステイ３の受け部３４の底面３４ａ（図８）に当接し、その位置で保持される。それ以降は、スタッカカバー５のみが閉位置に向けて回動し、スタッカカバー５とトレイ６との相対位置が変化する。このとき、トレイ６のストッパ６６は、ステイ３の受け部３４内でＹ方向にスライドする。また、トレイ６のリミッタ６５は、スタッカカバー５の当接面５６に沿ってスライドする。
【００９４】
スタッカカバー５が閉位置（図９）に到達すると、スタッカカバー５はステイ３の所定箇所に当接して回動を停止し、その位置で保持される。その後、ユーザは、読取ユニット２の取っ手２６に手を掛けて下方に押し下げる。読取ユニット２の保持機構２８（図２）は、一定の外力が加わるとロックが解除されるように構成されているため、読取ユニット２が閉位置（図１）に向けて回動する。そして、読取ユニット２がステイ３の上面に当接した状態で、読取ユニット２の回動が停止する。
【００９５】
＜実施の形態の効果＞
以上説明したように、本発明の第１の実施の形態によれば、スタッカカバー５が開位置と閉位置との間で回動し、トレイ６がスタッカカバー５の回動動作に応じて回動する。そして、スタッカカバー５が開位置（図１１）にあるときのスタッカカバー５とトレイ６との距離Ｗ１が、スタッカカバー５が閉位置（図１）にあるときのスタッカカバー５とトレイ６との距離Ｖ１よりも小さい。そのため、読取ユニット２の回動角度に対して、スタッカカバー５の回動角度を大きくすることができる。
【００９６】
従って、画像形成ユニット１の構成要素（プロセスユニット７ａ，７ｂ，７ｃ，７ｄ、定着ユニット１０等）の交換、またはジャムを起こした記録媒体の除去等のメンテナンスを容易に行うことができる。また、読取ユニット２の回動角度を比較的小さく抑えることができるため、ユーザが読取ユニット２の取っ手２６に手を掛けやすい。その結果、ユーザの作業における利便性が向上する。
【００９７】
また、トレイ６は、スタッカカバー５が閉位置にあるときに、スタッカカバー５とトレイ６とを両者の距離がＶ１となる位置関係（第１の位置関係）に保持するためのストッパ６６と、スタッカカバー５が開位置にあるときに、スタッカカバー５とトレイ６とを両者の距離がＷ１となる位置関係（第２の位置関係）に保持するためのリミッタ６５とを有している。ステイ３は、トレイ６のストッパ６６に係合する受け部３４を有しており、スタッカカバー５は、トレイ６のリミッタ６５に係合する当接面５６を有している。そのため、スタッカカバー５が開位置にあるときと閉位置にあるときとで、スタッカカバー５とトレイ６との距離を変化させる構成を実現することができる。
【００９８】
また、スタッカカバー５の回動軸５１とトレイ６の回動軸６１とが平行であり、トレイ６の回動軸６１が、スタッカカバー５の回動軸５１と積載面部５ａとの間に配置されている。そのため、排出された媒体を保持する機能を有するスタッカカバー５およびトレイ６を、比較的簡単な構成で、それぞれ回動可能に組み合わせることができる。
【００９９】
また、第２搬送路４２の排出口４８からの媒体の排出方向において、リミッタ６５がトレイ６の回動軸６１の下流側に配置され、ストッパ６６がリミッタ６５のさらに下流側に配置されている。そのため、スタッカカバー５の閉位置からの回動角度が小さいときにはトレイ６をステイ３の受け部３４で保持し、その後、スタッカカバー５とトレイ６とを連動して回動させるという動作を、比較的コンパクトな構成で実現することができる。
【０１００】
また、スタッカカバー５の回動軸５１は、第２エジェクタユニット４４の第１部分４４ａ（第２排出ローラ１９と同じ側）に対応する位置に配置されており、トレイ６の回動軸６１は、第２エジェクタユニット４４の第２部分４４ｂ（第２従動ローラ２０と同じ側）に対応する位置に配置されている。そのため、第２搬送路４２を有する第２エジェクタユニット４４の周辺に回動軸５１，６１を設ける構成を実現することができ、スタッカカバー５の小型化に資することができる。
【０１０１】
なお、上述した第１の実施の形態では、スタッカカバー５およびトレイ６に媒体を積載する構成について説明したが、スタッカカバー５とトレイ６との組み合わせに限らず、複数のスタッカに媒体を積載するものであればよい。
【０１０２】
また、上述した第１の実施の形態では、画像形成ユニット１と読取ユニット２とを有する複合装置について説明したが、本発明は、読取ユニット２を有さない装置（画像形成装置）にも適用することができる。本発明では、例えば図１１から理解されるように、トレイ６の回動角度に対して、スタッカカバー５の回動角度を大きく確保することができる。そのため、例えばトレイ６の上方に自由なスペースが少ない等の理由で、トレイ６の回動角度をできるだけ小さくしたい場合（なお且つ、ユーザのメンテナンス作業を容易にするためにスタッカカバー５の回動角度を確保したい場合）には、本発明は特に有利である。
【０１０３】
上述した第１の実施の形態では、プロセスユニットで形成した現像剤像を媒体に直接転写する直接転写方式の画像形成ユニットを用いた構成例を説明したが、本発明における画像形成ユニットは、直接転写方式に限定されるものではない。例えば、中間転写体を用いて媒体に現像剤像を転写する中間転写方式を用いてもよい。また、画像形成ユニットは、複数色からなるカラー画像を形成するものに限らず、単色の画像を形成するものであってもよい。
【符号の説明】
【０１０４】
１  画像形成ユニット、  ２  読取ユニット、  ３  ステイ（フレーム）、  ３１  孔（回動支持部）、  ３２  孔（回動支持部）、  ３３  凸部（ロック部）、  ３４  受け部（第１の係合部）、  ３５  側壁、  ５  スタッカカバー（カバー部材）、  ５ａ  上面（第１スタッカ）、  ５１  支軸（回動軸）、  ５４  凹部（ロック部）、  ５５  孔（回動支持部）、  ５８  当接面（第２の係合部）、  ６  トレイ（第２スタッカ）、  ６１  支軸（回動軸）、  ６５  リミッタ（第１の保持部）、  ６６  ストッパ（第２の保持部）、  ７ａ，７ｂ，７ｃ，７ｄ  プロセスユニット（画像形成部）、  ８ａ，８ｂ，８ｃ，８ｄ  露光ヘッド、  ９  転写ユニット、  １０  定着ユニット、  １７  第１排出ローラ、  １８  第１従動ローラ、  １９  第２排出ローラ（第１のローラ）、  ２０  第２従動ローラ（第２のローラ）、  ４０  排出搬送部、  ４１  第１搬送路（第１のルート）、  ４２  第２搬送路（第２のルート）、  ４３  第１エジェクタユニット、  ４４  第２エジェクタニット、  ４４ａ  第１部分（第１の部材）、  ４４ｂ  第２部分（第２の部材）、  ４７，４８  排出口。
【図１】
2020095277.tif 000003
【図２】
2020095277.tif 000004
【図３】
2020095277.tif 000005
【図４】
2020095277.tif 000006
【図５】
2020095277.tif 000007
【図６】
2020095277.tif 000008
【図７】
2020095277.tif 000009
【図８】
2020095277.tif 000010
【図９】
2020095277.tif 000011
【図１０】
2020095277.tif 000012
【図１１】
2020095277.tif 000013